(57)【要約】  本発明は、逆流防止小便器に関するものであって、詳しくは、小便受けと、上記小便受けの下部に形成されて小便を排出する排水口とからなる小便器において、上記排水口は下水管に繋がれ、容器形状を有するハウジング；上記ハウジングの内部上側に形成され、小便が流入される流入部と、上記流入部の下側に水平に貫通形成され、円形の形状を有する通路部と、上記通路部と連通され、上記通路部に向けて下向きに傾くように形成された傾斜部と、上記傾斜部に形成されて、上記通路部を通じて流入された小便を排出する排出部とで構成され、上記ハウジング内に設けられる本体；及びボール形状を有し、上記傾斜部に収容され、自重により下降して上記通路部を遮断するか、上記流入部に流入される小便の圧力により上記通路部を開放させる開閉ボール；からなることを特徴とし、これによると、簡単な構成を持ち、また機械的な作動で小便や異物の排出が円滑であると同時に悪臭の逆流を確かに遮断することができる効果に優れる。【選択図】  図２
2013526663.tif 000002
【特許請求の範囲】
【請求項１】
小便受けと、前記小便受けの下部に形成されて小便を排出する排水口とからなる小便器において、
前記排水口は、
下水管に繋がれ、容器形状を有するハウジング；
前記ハウジングの内部上側に形成され、小便が流入される流入部と、前記流入部の下側に水平に貫通形成され、円形の形状を有する通路部と、前記通路部と連通され、前記通路部に向けて下向きに傾くように形成された傾斜部と、前記傾斜部に形成されて、前記通路部を通じて流入された小便を排出する排出部とで構成され、前記ハウジング内に設けられる本体；及び
ボール形状を有して前記傾斜部に収容され、自重により下降して前記通路部を遮断するか、前記流入部に流入される小便の圧力により前記通路部を開放させる開閉ボール；からなることを特徴とする開閉ボールを用いた逆流防止小便器。
【請求項２】
前記通路部は、前記本体の中心に位置し、
前記傾斜部は、曲面の傾斜をなすが、最低地点が前記通路部と連通されることを特徴とする請求項１に記載の開閉ボールを用いた逆流防止小便器。
【請求項３】
前記通路部の縁には前記開閉ボールが密着されるように弾性材質のパッキングが備えられることを特徴とする請求項２に記載の開閉ボールを用いた逆流防止小便器。
【請求項４】
前記排出部の下端には、
前記排出部を開閉することができるキャップがヒンジ結合され、
前記キャップの一側には前記キャップが閉じた状態を維持するようにする重量錘が結合されたことを特徴とする請求項１乃至３のいずれか一項に記載の開閉ボールを用いた逆流防止小便器。
【請求項５】
前記排出部の下端には、
貫通された袋状をなすラテックス材質のトラップがさらに備えられることを特徴とする請求項１乃至３のいずれか一項に記載の開閉ボールを用いた逆流防止小便器。
【請求項６】
使用者を感知して小便回数を認識するセンサー装置と、
前記小便回数別に洗浄ボールを水で洗浄するように制御する制御部を含むことを特徴とする請求項１乃至３のいずれか一項に記載の開閉ボールを用いた逆流防止小便器。
【請求項７】
時間を制御して一定時間を周期として水で洗浄ボールを洗浄するように制御する制御部を含むことを特徴とする請求項１乃至３のいずれか一項に記載の開閉ボールを用いた逆流防止小便器。
【請求項８】
制御部が使用回数を累積感知してカートリッジ交換時期を通知することを特徴とする請求項１乃至３のいずれか一項に記載の開閉ボールを用いた逆流防止小便器。
【発明の詳細な説明】
【技術分野】
【０００１】
本発明は逆流防止小便器に関し、より詳細には開閉ボールを用いて尿を速かに排出し、悪臭の逆流を遮断することができる開閉ボールを用いた逆流防止小便器に関する。
【背景技術】
【０００２】
公共場所のトイレには小便器が設置されているが、多くの人が頻繁に使うため問題点が多い。
【０００３】
特に、尿や洗浄水またはその他の異物が長期間留まることになると、排水口が詰まるか、染み付いた汚れが発生し、地下で悪臭が逆流して視覚上、衛生上、不快感を与える場合が有り勝ちである。
【０００４】
このような問題を解決するために、通常、小便器の排水口には水が滞留する排水トラップを備えて悪臭の逆流を防止する。
【０００５】
また、最近、水を使わない小便器が市中に出ているが、小便の主要成分であるアンモニアを中和させる化学薬品を使ったものが大多数である。これは、化学薬品を周期的に入れ替えなければならないという煩わしさがある。
【０００６】
よって、上述のような従来の小便器の排水口は、構造上、複雑且つ維持管理が煩わしい短所があった。
【発明の概要】
【発明が解決しようとする課題】
【０００７】
本発明は、上記のような問題点を解決するために案出されたものであって、本発明の目的は、開閉ボールを用いて構造が簡単ながらも尿や異物が速かに排出され、逆流する悪臭を効果的に遮断して、視覚上快適かつ衛生上清潔な開閉ボールを用いた逆流防止小便器を提供することである。
【課題を解決するための手段】
【０００８】
上述した目的を果たすため、本発明は、小便受けと、上記小便受けの下部に形成されて小便を排出する排水口とからなる小便器において、上記排水口は下水管に繋がれ、容器形状を有するハウジング；上記ハウジングの内部上側に形成され、小便が流入される流入部と、上記流入部の下側に水平に貫通形成され、円形の形状を有する通路部と、上記通路部と連通され、上記通路部に向けて下向きに傾くように形成された傾斜部と、上記傾斜部に形成され、上記通路部を通じて流入された小便を排出する排出部とで構成され、上記ハウジング内に設けられる本体；及びボール形状を有して上記傾斜部に収容され、自重により下降して上記通路部を遮断さるか、上記流入部に流入される小便の圧力により上記通路部を開放させる開閉ボール；からなることを特徴とする。
【０００９】
ここで、上記通路部は上記本体の中心に位置し、上記傾斜部は曲面の傾斜を成すが、最低地点が上記通路部と連通されることを特徴とする。
【００１０】
そして上記通路部の縁には上記開閉ボールが密着されるように弾性材質のパッキングが備えられることができることを特徴とする。
【００１１】
このとき、上記排出部の下端には上記排出部を開閉することができるキャップがヒンジ結合され、上記キャップの一側には上記キャップが閉まった状態を維持するようにする重量錘が結合されたことを特徴とする。
【００１２】
また、上記排出部の下端には貫通された袋状をなすラテックス材質のトラップがさらに備えられることができることを特徴とする。
【発明の効果】
【００１３】
上記のような構成による本発明の効果は下記のとおりである。
【００１４】
簡単な構成を持ち、また機械的な作動で小便や異物の排出が円滑であると同時に悪臭の逆流を確かに遮断することができる効果に優れる。
【００１５】
また、重量錘が結合されたキャップまたはラテックス材質のトラップを付加的に設けて悪臭の逆流を二重遮断することができる。
【図面の簡単な説明】
【００１６】
【図１】一般的な小便器を示す斜視図。
【図２】本発明の好ましい一実施例に係る開閉ボールを用いた逆流防止小便器の内部構造を示す切開斜視図。
【図３】本発明の他の実施例に係る開閉ボールを用いた逆流防止小便器の内部構造を示す切開斜視図。
【図４】本発明の開閉ボールが作動して悪臭の逆流を遮断する状態を示す断面図。
【発明を実施するための形態】
【００１７】
以下では添付図面を参照して本発明の好ましい一実施例を詳細に説明しようとする。下記の説明及び添付図面は、本発明の全般的な理解のために提示されたものであって、本発明の技術的範囲がそれらに限定されるものではない。そして、本発明の要旨を不明確にする公知構成及び機能に対する詳細な説明は略することにする。
【００１８】
図１は一般的な小便器を示す斜視図、図２は本発明の好ましい一実施例による開閉ボールを用いた逆流防止小便器の内部構造を示す切開斜視図である。
【００１９】
本発明は、図示のように、小便受け１００と排水口２００とから構成される小便器において、上記排水口２００に技術的特徴があり、上記排水口２００は大きくハウジング２２０、本体２４０、開閉ボール２６０で構成されることができる。
【００２０】
先に、上記ハウジング２２０は、図２に示したように、上記小便受け１００の下部に設けられるものであって、尿や洗浄水が排出される地下の下水管（未図示）と繋がれる。上記ハウジング２２０は、通常円筒状であり、上記本体２４０と開閉ボール２６０が内部に収容、装着され、樹脂のような材質からなることができる。
【００２１】
そして、上記ハウジング２２０の上部面には、ホール（Ｈｏｌｅ）が複数個形成されて小便が通過することができる。
【００２２】
次に、上記本体２４０は上記ハウジング２２０内に形成されて小便を排出し、逆流する悪臭を機械的に遮断することができるものであって、主に、流入部２４２、通路部２４４、傾斜部２４６、排出部２４８で構成されることができる。
【００２３】
上記流入部２４２は、上記ハウジング２２０の上部面で下側に陷沒された形状をなし、小便が直接流入されてその小便を下側に誘導する。
【００２４】
上記流入部２４２は多様な形状を有することができるので、円筒溝形状であることもでき、他には貫通ホール形状であることもあり、また他には下側に行くほど細くなる円錐溝形状であることもできる。また、図２に示したように、おおよそ螺旋形の流路のような形状を持つこともできる。
【００２５】
そして上記通路部２４４は、上記流入部２４２の下部と連通形成され、貫通された円形状のホール（Ｈｏｌｅ）であって、水平に貫通された形状を有する。よって上記流入部２４２に流入された小便が上記流入部２４２の底に到逹して上記通路部２４４を通じて水平に流出されることができる構造である。
【００２６】
もちろん、上記通路部２４４の垂直断面は、垂直に形成されることができ、一定角度に傾いた形状からなることもできる。
【００２７】
また、上記通路部２４４の縁には弾性材質のパッキング（未図示）を付着することもできる。これは後述する開閉用開閉ボール２６０が蜜閉される時、密着されるようにしてシーリング（Ｓｅａｌｉｎｇ）効果を良くするためである。通常、上記パッキングは軟質のゴムなどが使用されることができる。
【００２８】
ここで、上記通路部２４４の位置は、おおよそ上記本体２４０の中心に位置して後述する傾斜部２４６と連通されたことが良い。
【００２９】
上記傾斜部２４６は、底が曲面を成しながら傾斜を成す空間であり、内部には後述する開閉ボール２６０が収容される。
【００３０】
言い替えれば、上記傾斜部２４６は、上記通路部２４４の一側から平面形態で上向きに傾斜を成すこともできるが、好ましくは曲面形態の傾斜になるように逆円錐形状または半球形状を有することにより、内部に収容された上記開閉ボール２６０が外力により揺れ動いて、どのような位置にいても自重によって中央に復元できる構造を有することが好ましい。
【００３１】
したがって、上述のように、上記通路部２４４は上記ハウジング２２０の中央に位置し、上記通路部２４４と隣接して上記傾斜部２４６が形成され、上記傾斜部２４６の最低地点と上記通路部２４４が連通されることにより、上記開閉ボール２６０が復元される時、上記通路部２４４を正確に遮断して蜜閉することができる。
【００３２】
一方、上記排出部２４８は、上記傾斜部２４６の底に形成され、上下に貫通されたホール形状を有するため、上記通路部２４４を通過した小便が上記傾斜部２４６に至る時に下側に排出されるようにする。
【００３３】
上記排出部２４８は、円形、四角形などの多様な形状であることができるが、上記開閉ボール２６０が離脱せずに上記傾斜部２４６上で動けるほどの大きさを有する。
【００３４】
次に、上記開閉ボール２６０は、球形のボール（Ｂａｌｌ）形状からなっているため、上記傾斜部２４６内に収容され、自重により下降して上記通路部２４４に復元されながら遮断することができる構成である。また、逆流するガスの圧力により加圧されて上記通路部２４４に密着されることができるほどの重量を有することができ、実施例として軽い材質の中実球や、内部が空いている中空球などが適切である。樹脂のような材質からなった中実球や卓球ボールのような中空球を使用することができる。
【００３５】
当然、上記開閉ボール２６０は、上記通路部２４４の直径よりも大きく、上記排出部２４８よりも大きい。
【００３６】
また、本発明で上記ハウジング２２０の下部には、逆流される悪臭を二重遮断して逆流防止効果を向上させるために、別途のキャップ３００が更に備えられることができる。
【００３７】
上記キャップ３００は、栓のような形状であることができ、上記排出部２４８の下端に結合されて上記排出部２４８を開閉することができる。
【００３８】
そして上記キャップ３００は、上記排出部２４８の断面形状に対応する形状を有することができ、上記排出部２４８の一側にヒンジ結合される。よって、外力により開閉が可能である。
【００３９】
また、上記キャップ３００の一側には、図示したような一定の重量を有する重量錘３２０が取付けられる。上記重量錘３２０は、上記キャップ３００よりも相対的に重い。
【００４０】
よって、上記重量錘３２０の重さにより上記キャップ３００はヒンジ結合を中心に上昇して上記排出部２４８を閉める。もし、小便が上記キャップ３００に到逹すれば小便の重さにより上記キャップ３００が開かれる構造である。
【００４１】
図３は、本発明の他の実施例に係る開閉ボールを用いた逆流防止小便器の内部構造を示す切開斜視図である。
【００４２】
本発明の他の実施例として図３に示されたものを参照すれば、上記排出部２４８に上記キャップ３００の代わりに貫通袋状のトラップ４００がさらに備えられることができる。
【００４３】
上記トラップ４００は、上記排出部２４８の下端に結合され、貫通された袋状であることができ、材質は薄いビニールあるいは好ましくはラテックス材質からなることができる。
【００４４】
ラテックスは生ゴムの原料として使われ、多様な用途で使われるが、発明では０．１ｍｍ程度の厚さを有する袋状を有し、上側から落ちる小便の圧力により開けられて小便を通過させるが、小便が全て通過した後には表面に残る水のため、互いに付着し合う。よって、逆流するガスは上記トラップ４００を通過することができない。
【００４５】
以下では図２及び図４を参照して本発明の作動状態を簡単に説明する。
【００４６】
図４は、本発明の開閉ボールが作動して悪臭の逆流を遮断する状態を示す断面図である。
【００４７】
図２を参照すれば、使用者が小便をすると、小便が上記流入部２４２に流入されて下部に到逹し、小便の重量と圧力により上記通路部２４４を遮断していた上記開閉ボール２６０を押して、上記通路部２４４を開放させて通過することになる。
【００４８】
上記通路部２４４を通過した小便が上記傾斜部２４６に流れて上記排出部２４８を通じて下側に排出される。この時、上記傾斜部２４６内に一部残っている小便により上記開閉ボール２６０は浮び上がることもできる。
【００４９】
上記排出部２４８で排出された小便は、上記排出部２４８を閉じていた上記キャップ３００に滞積され、ある瞬間、小便の重さが上記重量錘３２０の重量を超過すると、上記キャップ３００がシーソーのように下側に開く。よって、小便は持続的に下水管に排出される。
【００５０】
図４を参照すると、普段は上記開閉ボール２６０が自重により上記傾斜部２４６の最低地点に位置して上記通路部２４４を遮断している。もし、逆流するガスが上記排出部２４８を通じて上記傾斜部２４６に流入されると、そのガスの圧力により上記開閉ボール２６０は加圧され、上記開閉ボール２６０が上記通路部２４４にさらに密着されてガスの流入を蜜閉する。
【００５１】
上記キャップ３００の場合も、普段は上記重量錘３２０により閉じた状態を維持するので、逆流するガスを１次的に遮断して、上記排出部２４８を通じて上記傾斜部２４６に流入されなくする。しかし、一部漏洩して上記傾斜部２４６まで逆流されたガスは、上記開閉ボール２６０により２次的に遮られるので、確かな悪臭の逆流を防止することができるようになる。上記トラップ４００の場合も上述のようである。
【００５２】
また、本発明の好ましい実施例として、制御部をさらに含む。
【００５３】
センサー装置が使用者を感知して小便回数を認識すると、制御部は小便回数別に洗浄ボールを水で洗浄するように制御する。
【００５４】
一方、他の実施例として、制御部は時間を制御して一定時間を周期として水で洗浄ボールを洗浄するように制御することができる。
【００５５】
上記のような制御部の構成により、洗浄ボールがいつもきれいな状態を維持し、洗浄ボールの運営状態を均一に維持する。
【００５６】
また、制御部は使用者の小便器の使用回数を累積感知して、カートリッジ交換時期を使用者に通知する。これを通じて使用者がカートリッジ交換時期を一定時間の間隔でチェックしなくても制御部が使用者に通知することにより、カートリッジ交換時期を逃さないようにする。
【００５７】
上記で本発明の好ましい実施例を参照して説明したが、該当の技術分野における通常の知識を有する者であれば、下記の特許請求の範囲の本発明の思想及び領域から脱しない範囲内で、本発明を多様に修正及び変更可能であることを分かるはずである。
【図１】
2013526663.tif 000003
【図２】
2013526663.tif 000004
【図３】
2013526663.tif 000005
【図４】
2013526663.tif 000006
【国際調査報告】
2013526663.tif 000007
2013526663.tif 000008